(57)【特許請求の範囲】
【請求項１】
表示板と前記表示板を透過照明する光源と前記表示板を指示する指針と前記指針を駆動する指針駆動手段とを有する指示計器からなる第一の表示器と、表示光を射出する発光型表示器からなる第二の表示器と、前記表示光が投影される反射板と、前記第一の表示器と前記第二の表示器と前記反射板とを収納するハウジングと、を有する表示装置であって、前記表示光は前記反射板に反射されて、前記第一の表示器の光は前記反射板を透過しないで、観察者に達するように構成したことを特徴とする表示装置。
【請求項２】
表示板と前記表示板を透過照明する光源とを有する第一の表示器と、第一の表示光を射出する第一の発光型表示器からなる第二の表示器と、前記第一の表示光が投影される半透過反射板と、前記半透過反射板の後方に配設され第二の表示光を射出する第二の発光型表示器からなる第三の表示器と、前記第一の表示器と前記第二の表示器と前記半透過反射板と前記第三の表示器とを収納するハウジングと、を有する表示装置であって、前記第一の表示光は前記半透過反射板に反射されて、前記第二の表示光は前記半透過反射板を透過して、前記前記第一の表示器の光は前記半透過反射板を透過しないで、観察者に達するように構成したことを特徴とする表示装置。
【請求項３】
前記第一の表示器は、前記表示板を指示する指針と、前記指針を駆動する指針駆動手段と、を有する指示計器であることを特徴とする請求項２に記載の表示装置。
【請求項４】
前記第一の表示器に対応する箇所に設けられた第一の透過率を有する第一の透視部と、前記第二の表示器に対応する箇所に設けられ第二の透過率を有する第二の透視部と、を有し前記ハウジングに係止されるカバーを有することを特徴とする請求項１または請求項２に記載の表示装置。
【発明の詳細な説明】
【０００１】
【発明の属する技術分野】
本発明は、複数の表示器を備えた表示装置に関するものである。
【０００２】
【従来の技術】
従来より、ハウジング１内に速度計，回転計等の指示計器２（表示器）と蛍光表示管等の発光型表示器３（表示器）とを収納した車両用表示装置がある（図４参照）。指示計器２の表示板４は透光性基板に指標部（目盛りや数字）を除いて黒色印刷等の遮光部が形成されており、指針５が目盛りを指示することにより車両の速度やエンジンの回転数を表示する。表示板４の後方にはバルブ等の光源６が設けられており、この光源６によって表示板４の指標部が透過照明される。指針５の基部には発光ダイオード等の光源が配設されており、指示部５ａが発光する。ハウジング１の前面にはスモークカバー７が設けられており、各表示器２，３を保護している。指示計器２とスモークカバー７の間には半透過反射板８が配設されており、発光型表示器３の表示光Ｌは半透過反射板８に反射されて観察者に達するように構成されている。発光型表示器３は時刻を数字で表示するものであり、観察者は表示板４と略同じ高さに時刻表示の虚像９を視認できる。
【０００３】
【発明が解決しようとする課題】
しかしながら、半透過反射板８の透過率は約５０％、スモークカバー７の透過率は約２０％であるため、指示計器２が暗くなってしまうという問題を有していた。即ち、指示計器２の光（指示部５ａ及び表示板４の指標部の光）が半透過反射板７及びスモークカバー９を透過するときに約１０％まで減光されてしまう。
本発明は、虚像を表示することができ、且つ表示器（指示計器）の輝度が著しく低下することがない表示装置を提供するものである。
【０００４】
【課題を解決するための手段】
本発明は、前記課題を解決するため、表示板と前記表示板を透過照明する光源と前記表示板を指示する指針と前記指針を駆動する指針駆動手段とを有する指示計器からなる第一の表示器と、表示光を射出する発光型表示器からなる第二の表示器と、前記表示光が投影される反射板と、前記第一の表示器と前記第二の表示器と前記反射板とを収納するハウジングと、を有する表示装置であって、前記表示光は前記反射板に反射されて、前記第一の表示器の光は前記反射板を透過しないで、観察者に達するように構成したものである。
【０００５】
また、本発明は、表示板と前記表示板を透過照明する光源とを有する第一の表示器と、第一の表示光を射出する第一の発光型表示器からなる第二の表示器と、前記第一の表示光が投影される半透過反射板と、前記半透過反射板の後方に配設され第二の表示光を射出する第二の発光型表示器からなる第三の表示器と、前記第一の表示器と前記第二の表示器と前記半透過反射板と前記第三の表示器とを収納するハウジングと、を有する表示装置であって、前記第一の表示光は前記半透過反射板に反射されて、前記第二の表示光は前記半透過反射板を透過して、前記前記第一の表示器の光は前記半透過反射板を透過しないで、観察者に達するように構成したものである。
【０００６】
また、本発明は、前記第一の表示器は、前記表示板を指示する指針と、前記指針を駆動する指針駆動手段と、を有する指示計器であるものである。
【０００７】
また、本発明は、前記第一の表示器に対応する箇所に設けられた第一の透過率を有する第一の透視部と、前記第二の表示器に対応する箇所に設けられ第二の透過率を有する第二の透視部と、を有し、前記ハウジングに係止されるカバーを有するものである。
【０００８】
【発明の実施の形態】
指示計器（第一の表示器１５）は、表示板２１と、表示板２１を指示する指針２４と、表示板２１を透過照明する光源２２と、指針２４を駆動する指針駆動手段２５とを有する。ハウジング１０には、第一の表示器１５と、第一の発光型表示器からなる第二の表示器１７と、第二の発光型表示器からなる第三の表示器１６と、が収納される。第二の表示器１７が射出する第一の表示光Ｌ１は半透過反射板２０に反射されて、第三の表示器１６が射出する第二の表示光Ｌ２は半透過反射板２０を透過して、第一の表示器１５の光は半透過反射板２０を透過しないで、観察者に達する。
【０００９】
【実施例】
以下、添付の図面に基いて、本発明を車両用表示装置に適用した一実施例を説明する。図１は車両用表示装置の要部断面図、図２及び図３は正面図である。
【００１０】
１０はハウジングであり、このハウジング１０は前側ハウジング１１，後側ハウジング１２，後側カバー１３及び上側カバー１４を有している。ハウジング１０には４個の指示計器１５（第一の表示器）、即ち、速度計１５ａ，燃料計１５ｂ，水温計１５ｃ，回転計１５ｄが収納されている。速度計１５ａ及び回転計１５ｄは燃料計１５ｂ及び水温計１５ｃよりも大きくなっており、燃料計１５ｂ及び水温計１５ｃは速度計１５ａ及び回転計１５ｄの間に配置されている。
【００１１】
また、ハウジング１０には液晶表示器１６（第三の表示器）及び蛍光表示管１７（第二の表示器）が収納されており、燃料計１５ｂ及び水温計１５ｃの上方に配置されている。蛍光表示管１７は回路基板１８に接続されており、上側カバー１４は蛍光表示管１７及び回路基板１８を覆うように前側ハウジング１１にビスにより固定され、蛍光表示管１７及び回路基板１８を保護している。前側ハウジング１１には蛍光表示管１７に対向する箇所に開口１９が形成されており、蛍光表示管１７の表示光Ｌ１は開口１９を透過し後述するハーフミラーに投影される。また、前側ハウジング１１は、指示計器１５と液晶表示器１６との間に遮光壁１１ａを有している。
【００１２】
２０はハーフミラー（反射板）であり、このハーフミラー２０は傾斜配置され前側ハウジング１１と後側ハウジング１２とに挟持されている。ハーフミラー２０の透過率は約５０％となっている。液晶表示器１６の表示光Ｌ２はハーフミラー２０を透過し観察者に達する。一方、蛍光表示管１７の表示光Ｌ１はハーフミラー２０に反射されて観察者に達する。後側カバー１３は前側ハウジング１１及び後側ハウジング１２に係止爪により係止され、ハウジング１０内への塵埃の侵入を防止している。
【００１３】
指示計器１５は、文字板２１（表示板），冷陰極管２２（光源），導光部材２３，指針２４，ステッピングモータ２５（指針駆動手段）及び回路基板２６を有している。文字板２１はポリカーボネート等の透光性樹脂からなる基板に目盛（指標部２７）を除いて黒色の印刷を施したものである。冷陰極管２２及び導光部材２３は文字板２１の後方に配置されており、指標部２７は冷陰極管２２の光により透過照明される。指針２４はステッピングモータ２５により回動され、文字板２１の指標部２７を指示する。冷陰極管２２の光は導光部材２３により指針２４に導かれ、指針２４の指示部２８が光輝する。
【００１４】
液晶表示器１６は、多数の画素が配設されたＴＦＴ（薄膜トランジスタ）型の液晶表示素子と、この液晶表示素子を後方から照明する光源とからなるものであり、経路誘導情報等を表示する。蛍光表示管１７は日字形の発光セグメントを有しており時刻を表示する。通常、液晶表示器１６は非表示状態であり、蛍光表示管１７により時刻を虚像で表示する（図２参照）。また、使用者が操作スイッチにより表示を切換え、蛍光表示管１７を消灯させ液晶表示器１６により経路誘導情報を表示することができる（図３参照）。
【００１５】
２９は保護カバー（カバー）であり、この保護カバー２９は係止爪により前側ハウジング１１の前側に係止されている。保護カバー２９はフレーム部材３０，第一の透視板３１（第一の透視部）及び第二の透視板３２（第二の透視部）からなるものである。フレーム部材３０は指示計器１５及び液晶表示器１６に対応する箇所に夫々第一の開口部３３及び第二の開口部３４を有しており、この第一の開口部３３及び第二の開口部３４には夫々第一の透視板３１及び第二の透視板３２が溶着されている。
【００１６】
フレーム部材３０はポリプロピレン等の不透明樹脂からなるものであり、第一，第二の透視板３１，３２はポリカーボネート等の透光性樹脂からなるものである。第一の透視板３１及び第二の透視板３２の透過率は約２０％となっている。第一，第二の透視板３１，３２は湾曲した形状となっており、液晶表示器１６側に凸となっている。
【００１７】
指示計器１５の光（指示部２８及び表示板２１の指標部の光）はハーフミラー２０を透過しないため、ハーフミラー２０で減光されることがなく、発光輝度の約２０％の明るさ（従来例の約２倍）で観察することができる。
また、保護カバー２９はフレーム部材３０，第一の透視板３１及び第二の透視板３２で構成されているので、第一，第二の透視板３１，３２の透過率は指示計器１５及び蛍光表示管１７の輝度バランスが良好になるように適宜選定することができる。即ち、本実施例において指示計器１５の明るさが従来例の約２倍の明るさになり、蛍光表示管１７による時刻表示が相対的に暗く感じるため、例えば第一の透視板３１の透過率（第一の透過率）は約２０％、第二の透視板３２の透過率（第二の透過率）は約３０％として、指示計器１５及び液晶表示器１６の輝度バランスが良好にすることが望ましい。
【００１８】
なお、本実施例は指示計器１５（第一の表示器），蛍光表示管１６（第二の表示器）及び液晶表示器１６（第三の表示器）を有するものであったが、第３の表示器はなくとも良く、表示装置を指示計器１５（第一の表示器）及び蛍光表示管１６（第二の表示器）を備えた構成とし、反射板は全反射ミラーとしても良い。
また、本実施例の指針駆動手段はステッピングモータ２５であったが、例えば交差コイル型ムーブメントであっても良い。また、保護カバー２９はフレーム部材３０に第一，第二の透視板３１，３２を溶着したものであったが、例えば不透明部，第一，第二の透視部を一体成形した保護カバーであっても良い。また、本実施例の第一の表示器は指示計器１５であったが、例えば燃料残量警告，シートベルト警告等の表示板の後方に発光ダイオード，バルブ等の光源を配設したインジケータであっても良い。
【００１９】
【発明の効果】
本発明は、表示板と前記表示板を透過照明する光源と前記表示板を指示する指針と前記指針を駆動する指針駆動手段とを有する指示計器からなる第一の表示器と、表示光を射出する発光型表示器からなる第二の表示器と、前記表示光が投影される反射板と、前記第一の表示器と前記第二の表示器と前記反射板とを収納するハウジングと、を有する表示装置であって、前記表示光は前記反射板に反射されて、前記第一の表示器の光は前記反射板を透過しないで、観察者に達するように構成したものであり、第二の表示器により虚像を表示することができ、且つ第一の表示器の輝度が著しく低下する虞がない。
【００２０】
また、本発明は、表示板と前記表示板を透過照明する光源とを有する第一の表示器と、第一の表示光を射出する第一の発光型表示器からなる第二の表示器と、前記第一の表示光が投影される半透過反射板と、前記半透過反射板の後方に配設され第二の表示光を射出する第二の発光型表示器からなる第三の表示器と、前記第一の表示器と前記第二の表示器と前記半透過反射板と前記第三の表示器とを収納するハウジングと、を有する表示装置であって、前記第一の表示光は前記半透過反射板に反射されて、前記第二の表示光は前記半透過反射板を透過して、前記前記第一の表示器の光は前記半透過反射板を透過しないで、観察者に達するように構成したものであり、第二の表示器により虚像を表示することができ、且つ第一の表示器の輝度が著しく低下する虞がない。
【００２１】
また、本発明は、前記第一の表示器に対応する箇所に設けられた第一の透過率を有する第一の透視部と、前記第二の表示器に対応する箇所に設けられ第二の透過率を有する第二の透視部と、を有し、前記ハウジングに係止されるカバーを有するものであり、各表示器の輝度バランスを良好にすることができる。
【図面の簡単な説明】
【図１】本発明の実施例を示す表示装置の断面図。
【図２】同上実施例を示す正面図。
【図３】同上実施例を示す正面図。
【図４】従来例を示す表示装置の分解斜視図。
【符号の説明】
１５  指示計器（第一の表示器）
１６  液晶表示器（第三の表示器）
１７  蛍光表示管（第二の表示器）
２０  ハーフミラー（半透過反射板）
２１  文字板（表示板）
２２  冷陰極管（光源）
２４  指針
２５  ステッピングモータ（指針駆動手段）
２９  保護カバー（カバー）
３１  第一の透視板（第一の透視部）
３２  第二の透視板（第二の透視部）
【図１】
0003858498.tif 000002
【図２】
0003858498.tif 000003
【図３】
0003858498.tif 000004
【図４】
0003858498.tif 000005